(57)【要約】      （修正有）【課題】浄化筒内部の不純物を容易に除去できる工業用空気除塵浄化器を提供する。【解決手段】浄化筒１を含み、浄化筒１の一側に進気管が固定接続され、進気管の一側に接続板が固定接続され、浄化筒１の一側に出気管が固定接続されており、浄化筒１の内部に接続ロッド５が固定接続され、接続ロッド５の端部に接続板６が固定接続され、接続板６の頂部に回動軸７が回転可能に接続され、回動軸７の外表面に回転板８が回転可能に接続され、回転板８は浄化筒１の内部に回転可能に接続されており、回転板８の内部に取付溝が開設され、取付溝の内部にスライダに移動可能に接続され、スライダの一側に濾過板１１が固定接続され、濾過板１１は取付溝の内部に移動可能に接続されている。該工業用空気除塵浄化器は、接続ロッド５を設けて、かつ接続ロッド５によって接続板６を浄化筒１の内部に固定する。排気が進気管を介して浄化筒の内部に進入すると、回転板８を吹き動かし、回転板８を浄化筒１の内部で回転させる。【選択図】図３
0003230133.tif 000002
【実用新案登録請求の範囲】
【請求項１】
浄化筒１を含み、前記浄化筒１の一側に進気管２が固定接続され、前記進気管２の一側に
接続板３が固定接続され、前記浄化筒１の一側に出気管４が固定接続されており、
前記浄化筒１の内部に接続ロッド５が固定接続され、前記接続ロッド５の端部に接続板６
が固定接続され、前記接続板６の頂部に回動軸７が回転可能に接続され、前記回動軸７の
外表面に回転板８が回転可能に接続され、前記回転板８は浄化筒１の内部に回転可能に接
続されており、
前記回転板８の内部に取付溝９が開設され、前記取付溝９の内部にスライダ１０に移動可
能に接続され、前記スライダ１０の一側に濾過板１１が固定接続され、前記濾過板１１は
取付溝９の内部に移動可能に接続されている、
ことを特徴とする工業用空気除塵浄化器。
【請求項２】
前記浄化筒１の底部に受取ホッパー１２が固定接続され、前記受取ホッパー１２の底部に
送出管が固定接続され、前記送出管にバルブが設置されていることを特徴とする請求項１
に記載の工業用空気除塵浄化器。
【請求項３】
前記浄化筒１の内部に進気口および出気口が開設され、前記進気口の位置に進気管２が設
置され、前記出気口の位置に出気管４が設置されていることを特徴とする請求項１に記載
の工業用空気除塵浄化器。
【請求項４】
前記浄化筒１の外表面に支持板１３が固定接続され、前記支持板１３の底部に支持柱１４
が固定接続されていることを特徴とする請求項１に記載の工業用空気除塵浄化器。
【請求項５】
前記浄化筒１の頂部に密閉蓋１５が枢動可能に接続され、前記密閉蓋１５の外表面にハン
ドルが固定接続されていることを特徴とする請求項１に記載の工業用空気除塵浄化器。
【請求項６】
前記濾過板１１の内部に複数個の濾過孔が設置され、前記濾過板１１の両側にそれぞれ複
数個の除塵布が設置されていることを特徴とする請求項１に記載の工業用空気除塵浄化器
。
【請求項７】
前記回動軸７の頂部に位置決め柱１６が接続され、前記密閉蓋１５の内部に位置決め孔が
開設されていることを特徴とする請求項１に記載の工業用空気除塵浄化器。
【考案の詳細な説明】
【技術分野】
【０００１】
本実用新案は、気体を除塵浄化するデバイス・装置の技術分野に関するもので、特に、工
業用空気除塵浄化器に関する。
【従来の技術】
【０００２】
工業生産過程では、発生した排気を浄化しなく、そのまま排出するとしたら、自然環境や
人間の健康に致命的な脅威をもたらすはずである。このため、工業排気ガスに対しては、
浄化処理を行わなければならない。除塵浄化は、その一つの肝心なステップである。それ
において、専用の除塵浄化設備が必要で、それによって浄化をサポートすることができる
。
【０００３】
ところが、従来の工業用空気除塵浄化器の欠点は、以下の点が存在する。
【０００４】
従来の工業用空気除塵浄化器は使用際に、内部の不純物を容易に除去できず、使用を影響
する。
【０００５】
従来の工業用空気除塵浄化器は、排気を濾過する時に、内設状態の濾過網が、塞ぎやすく
、排気の処理効率を低減する。
【考案の概要】
【０００６】
上記の問題を解決するために、本実用新案は以下の工業用空気除塵浄化器を提供する。
浄化筒１を含み、前記浄化筒１の一側に進気管２が固定接続され、前記進気管２の一側
に接続板３が固定接続され、前記浄化筒１の一側に出気管４が固定接続されており、
前記浄化筒１の内部に接続ロッド５が固定接続され、前記接続ロッド５の端部に接続板６
が固定接続され、前記接続板６の頂部に回動軸７が回転可能に接続され、前記回動軸７の
外表面に回転板８が回転可能に接続され、前記回転板８は浄化筒１の内部に回転可能に接
続されており、前記回転板８の内部に取付溝９が開設され、前記取付溝９の内部にスライ
ダ１０に移動可能に接続され、前記スライダ１０の一側に濾過板１１が固定接続され、前
記濾過板１１は取付溝９の内部に移動可能に接続されている、工業用空気除塵浄化器であ
る。
好ましくは、前記浄化筒１の底部に受取ホッパー１２が固定接続され、前記受取ホッパ
ー１２の底部に送出管が固定接続され、前記送出管にバルブが設置されている。
好ましくは、前記浄化筒１の内部に進気口および出気口が開設され、前記進気口の位置
に進気管２が設置され、前記出気口の位置に出気管４が設置されている。
好ましくは、前記浄化筒１の外表面に支持板１３が固定接続され、前記支持板１３の底
部に支持柱１４が固定接続されている。
好ましくは、前記浄化筒１の頂部に密閉蓋１５が枢動可能に接続され、前記密閉蓋１５
の外表面にハンドルが固定接続されている。
好ましくは、前記濾過板１１の内部に複数個の濾過孔が設置され、前記濾過板１１の両
側にそれぞれ複数個の除塵布が設置されている。
好ましくは、前記回動軸７の頂部に位置決め柱１６が接続され、前記密閉蓋１５の内部
に位置決め孔が開設されている。
【０００７】
本実用新案は、以下の利点がる。
（１）該工業用空気除塵浄化器は、接続ロッドを設けて、かつ接続ロッドによって接続板
を浄化筒の内部に固定する。排気が進気管を介して浄化筒の内部に進入すると、回転板を
吹き動かす。さらに、回転板を浄化筒の内部で回転させる。回転板と浄化筒の接触端に複
数個のブラッシュが設置されている。ブラッシュによって浄化筒の内部を清潔することが
できる。除去した不純物は、受取ホッパーの内部に移って、送出管より流出していく。こ
のよう構成によって、浄化筒内部を整理するという目的を達成するとともに、使用上の便
利性も向上する。
【０００８】
（２）また該工業用空気除塵浄化器は、回転板を設けて、かつ回転板の内部に取付溝を開
設して、スライダを取付溝の内部に移動可能に接続している。このようにして、浄化筒は
長期間使用にわたって清潔または交換する必要がある場合、ハンドルによって密閉蓋を回
動することにより、密閉蓋と浄化筒を分離させ、位置決め柱と密閉蓋を分離させて、そし
て濾過板を上に引いて、濾過板１１と回転板８を分離させる。このようにして、濾過板側
の除塵布を取り出し、除塵布を清潔または交換することができる。このような構成では、
操作が簡易で、その継続的使用が便利である。これによってさらに、濾過板１１の塞ぐな
どの不都合を減少し、濾過効果を向上することができる。
【図面の簡単な説明】
【０００９】
【図１】本実用新案の斜視構成模式図。
【図２】本実用新案の受取ホッパーの構成模式図。
【図３】本実用新案の浄化筒の構成模式図。
【図４】本実用新案の濾過板の構成模式図。
【図５】本実用新案の回転板の構成模式図。
【考案を実施するための形態】
【００１０】
以下、図面とともに、本実施形態について説明する。
図１〜５に示されるように、工業用空気除塵浄化器は、浄化筒１を含み、浄化筒１の一側
に進気管２が固定接続され、進気管２の一側に接続板３が固定接続され、浄化筒１の一側
に出気管４が固定接続されており、浄化筒１の内部に接続ロッド５が固定接続され、接続
ロッド５の端部に接続板６が固定接続され、接続板６の頂部に回動軸７が回転可能に接続
され、回動軸７の外表面に回転板８が回転可能に接続され、回転板８は浄化筒１の内部に
回転可能に接続されており、回転板８の内部に取付溝９が開設され、取付溝９の内部にス
ライダ１０に移動可能に接続され、スライダ１０の一側に濾過板１１が固定接続され、濾
過板１１は取付溝９の内部に移動可能に接続されている、
【００１１】
一実施形態として、浄化筒１の底部に受取ホッパー１２が固定接続され、受取ホッパー１
２の底部に送出管が固定接続され、送出管にバルブが設置されている。バルブを開弁する
ことによって、受取ホッパー１２内の不純物を流出させる。
【００１２】
一実施形態として、浄化筒１の内部に進気口および出気口が開設され、進気口の位置に進
気管２が設置され、出気口の位置に出気管４が設置されている。
【００１３】
一実施形態として、浄化筒１の外表面に支持板１３が固定接続され、支持板１３の底部に
支持柱１４が固定接続されている。支持柱１４の底部に防滑クッションが設置されている
。これによって、安定性を向上する。
【００１４】
一実施形態として、浄化筒１の頂部に密閉蓋１５が枢動可能に接続され、密閉蓋１５の外
表面にハンドルが固定接続されている。浄化筒１の頂部の内表面に雌ネジが設置され、密
閉蓋１５の外表面に雌ネジに締合する雄ネジが設置されている。密閉蓋１５の高さが雌ネ
ジの歯高より大きくする。
【００１５】
濾一実施形態として、過板１１の内部に複数個の濾過孔が設置され、濾過板１１の両側に
それぞれ複数個の除塵布が設置されている。
【００１６】
一実施形態として、回動軸７の頂部に位置決め柱１６が接続され、密閉蓋１５の内部に位
置決め孔が開設されている。位置決め柱１６は位置決め孔の内部に移動可能に接続されて
いる。これによって、回動軸７を位置決めする。
【００１７】
＜本実用新案の動作原理＞
本装置を適切な位置に移動させて、ボルトによって接続板３を気体発生の工業用管路に接
続する。排気が進気管２を介して浄化筒１の内部に進入すると、回転板８を吹き動かす。
さらに、回転板８を浄化筒１の内部で回転させる。回転板８の内部に複数個の除塵布が設
置されているので、不純物を除塵布に残すことができる。しかも、浄化筒１の内壁には、
不純物の付着がない。回転板８と浄化筒１の接触端に複数個のブラッシュが設置されてい
る。ブラッシュによって浄化筒１の内部を清潔することができる。除去した不純物は、受
取ホッパー１２の内部に移って、送出管より流出していく。このよう構成によって、浄化
筒１内部を整理するという目的を達成する。なお、排気を処分する時は、排気によって回
動軸７を回転させることにするので、排気の再利用を実現し、資源節約目的を達成するこ
とができる。それに加えて、使用も便利である。浄化筒１は長期間使用にわたって清潔ま
たは交換する必要がある。ハンドルによって密閉蓋１５を回動する。これによって密閉蓋
１５と浄化筒１を分離させ、位置決め柱１６と密閉蓋１５を分離させる。そして濾過板１
１を上に引いて、濾過板１１と回転板８を分離させる。このようにして、濾過板１１側の
除塵布を取り出し、除塵布を清潔または交換することができる。このような構成では、操
作が簡易で、その継続的使用が便利である。これによってさらに、濾過板１１の塞ぐなど
の不都合を減少し、濾過効果を向上することができる。そうしてから、清潔後は、キレイ
な除塵布を濾過板１１に固定し、濾過板１１を取付溝９の内部に配置する。そしてハンド
ルによって密閉蓋１５を回動することにより、浄化筒１を密閉させる。さらに位置決め柱
１６を密閉蓋１５内部の位置決め孔内に位置させて、回動軸７を位置決めする。このよう
な構成では、装置の回転が安定的にできる。なお、密閉蓋１５と回転板８の間に隙間が設
置されることで、回動軸７の回転への影響を避けることができる。
【００１８】
以上をまとめると、該工業用空気除塵浄化器は、接続ロッド５を設けて、かつ接続ロッド
５によって接続板６を浄化筒１の内部に固定する。排気が進気管２を介して浄化筒１の内
部に進入すると、回転板８を吹き動かす。さらに、回転板８を浄化筒１の内部で回転させ
る。回転板８と浄化筒１の接触端に複数個のブラッシュが設置されている。ブラッシュに
よって浄化筒１の内部を清潔することができる。除去した不純物は、受取ホッパー１２の
内部に移って、送出管より流出していく。このよう構成によって、浄化筒１内部を整理す
るという目的を達成する。また、回転板８を設けて、かつ回転板８の内部に取付溝９を開
設して、スライダ１０を取付溝９の内部に移動可能に接続している。このようにして、浄
化筒１は長期間使用にわたって清潔または交換する必要がある場合、ハンドルによって密
閉蓋１５を回動することにより、密閉蓋１５と浄化筒１を分離させ、位置決め柱１６と密
閉蓋１５を分離させて、そして濾過板１１を上方向に引いて、濾過板１１と回転板８を分
離させる。このようにして、濾過板１１側の除塵布を取り出し、除塵布を清潔または交換
することができる。このような構成では、操作が簡易で、その継続的使用が便利である。
これによってさらに、濾過板１１の塞ぐなどの不都合を減少し、濾過効果を向上すること
ができる。
【００１９】
前記述べたものは、本考案の実施形態だけであり、前記の具体のな実施形態は、普通技術
者は本考案の原理と精神の範疇内において、各種の変形及び修正、置換、変形を行うこと
ができる。本実用新案の保護範囲は、実用新案登録請求の範囲及びその均等物である。
【符号の説明】
【００２０】
１  浄化筒
２  進気管
３  接続板
４  出気管
５  接続ロッド
６  接続板
７  回動軸
８  回転板
９  取付溝
１０  スライダ
１１  濾過板
１２  受取ホッパー
１３  支持板
１４  支持柱
１５  密閉蓋
１６  位置決め柱
【図１】
0003230133.tif 000003
【図２】
0003230133.tif 000004
【図３】
0003230133.tif 000005
【図４】
0003230133.tif 000006
【図５】
0003230133.tif 000007
【手続補正書】
【提出日】令和2年10月28日(2020.10.28)
【手続補正１】
【補正対象書類名】実用新案登録請求の範囲
【補正対象項目名】全文
【補正方法】変更
【補正の内容】
【実用新案登録請求の範囲】
【請求項１】
浄化筒を含み、前記浄化筒の一側に進気管が固定接続され、前記進気管の一側に接続板が
固定接続され、前記浄化筒の一側に出気管が固定接続されており、
前記浄化筒の内部に接続ロッドが固定接続され、前記接続ロッドの端部に接続板が固定接
続され、前記接続板の頂部に回動軸が回転可能に接続され、前記回動軸の外表面に回転板
が回転可能に接続され、前記回転板は浄化筒の内部に回転可能に接続されており、
前記回転板の内部に取付溝が開設され、前記取付溝の内部にスライダに移動可能に接続さ
れ、前記スライダの一側に濾過板が固定接続され、前記濾過板は取付溝の内部に移動可能
に接続されている、
ことを特徴とする工業用空気除塵浄化器。
【請求項２】
前記浄化筒の底部に受取ホッパーが固定接続され、前記受取ホッパーの底部に送出管が固
定接続され、前記送出管にバルブが設置されていることを特徴とする請求項１に記載の工
業用空気除塵浄化器。
【請求項３】
前記浄化筒の内部に進気口および出気口が開設され、前記進気口の位置に進気管が設置さ
れ、前記出気口の位置に出気管が設置されていることを特徴とする請求項１に記載の工業
用空気除塵浄化器。
【請求項４】
前記浄化筒の外表面に支持板が固定接続され、前記支持板の底部に支持柱が固定接続され
ていることを特徴とする請求項１に記載の工業用空気除塵浄化器。
【請求項５】
前記浄化筒の頂部に密閉蓋が枢動可能に接続され、前記密閉蓋の外表面にハンドルが固定
接続されていることを特徴とする請求項１に記載の工業用空気除塵浄化器。
【請求項６】
前記濾過板の内部に複数個の濾過孔が設置され、前記濾過板の両側にそれぞれ複数個の除
塵布が設置されていることを特徴とする請求項１に記載の工業用空気除塵浄化器。
【手続補正書】
【提出日】令和2年11月19日(2020.11.19)
【手続補正１】
【補正対象書類名】実用新案登録請求の範囲
【補正対象項目名】全文
【補正方法】変更
【補正の内容】
【実用新案登録請求の範囲】
【請求項１】
浄化筒を含み、前記浄化筒の一側に進気管が固定接続され、前記進気管の一側に接続板が
固定接続され、前記浄化筒の一側に出気管が固定接続されており、
前記浄化筒の内部に接続ロッドが固定接続され、前記接続ロッドの端部に接続板が固定接
続され、前記接続板の頂部に回動軸が回転可能に接続され、前記回動軸の外表面に回転板
が回転可能に接続され、前記回転板は浄化筒の内部に回転可能に接続されており、
前記回転板の内部に取付溝が開設され、前記取付溝の内部にスライダに移動可能に接続さ
れ、前記スライダの一側に濾過板が固定接続され、前記濾過板は取付溝の内部に移動可能
に接続されている、
ことを特徴とする工業用空気除塵浄化器。
【請求項２】
前記浄化筒の底部に受取ホッパーが固定接続され、前記受取ホッパーの底部に送出管が固
定接続され、前記送出管にバルブが設置されていることを特徴とする請求項１に記載の工
業用空気除塵浄化器。
【請求項３】
前記浄化筒の内部に進気口および出気口が開設され、前記進気口の位置に進気管が設置さ
れ、前記出気口の位置に出気管が設置されていることを特徴とする請求項１に記載の工業
用空気除塵浄化器。
【請求項４】
前記浄化筒の外表面に支持板が固定接続され、前記支持板の底部に支持柱が固定接続され
ていることを特徴とする請求項１に記載の工業用空気除塵浄化器。
【請求項５】
前記浄化筒の頂部に密閉蓋が枢動可能に接続され、前記密閉蓋の外表面にハンドルが固定
接続されていることを特徴とする請求項１に記載の工業用空気除塵浄化器。
【請求項６】
前記濾過板の内部に複数個の濾過孔が設置され、前記濾過板の両側にそれぞれ複数個の除
塵布が設置されていることを特徴とする請求項１に記載の工業用空気除塵浄化器。